(57)【特許請求の範囲】
【請求項１】
インクが堆積しやすい第１インク群とインクの堆積を抑制する第２インク群とを吐出可能な記録ヘッドと、記録媒体に対して縁なし記録を行う際に前記記録ヘッドから吐出され前記記録媒体からはみ出したインクを吸収する吸収体を備えるインクジェット記録装置において、
前記記録媒体の先端部に縁なし記録を行うときに吐出される前記第１インク群の量と前記第２インク群の量とに基づいて、前記吸収体に堆積する第１のインク量を算出する第１の算出手段と、
前記記録媒体の後端部に縁なし記録を行うときに吐出される前記第１インク群の量と前記第２インク群の量とに基づいて、前記吸収体に堆積する第２のインク量を算出する第２の算出手段と、
前記第１のインク量に第１の係数を乗じたものと前記第２のインク量に第２の係数を乗じたものとに基づいて、前記吸収体に付与する付与インク量を決定する決定手段を備えることを特徴とするインクジェット記録装置。
【請求項２】
前記第１の係数は、前記第２の係数よりも大きいことを特徴とする請求項１に記載のインクジェット記録装置。
【請求項３】
前記付与インクは、前記第２インク群に含まれるインクであることを特徴とする請求項１または２に記載のインクジェット記録装置。
【請求項４】
前記記録ヘッドと対向する位置で記録媒体を支持するプラテンを備え、前記吸収体は前記プラテンに設けられることを特徴とする請求項１ないし３のいずれか１項に記載のインクジェット記録装置。
【発明の詳細な説明】
【技術分野】
【０００１】
本発明は、インク液を用いて記録を行うインクジェット記録装置に関する。
【背景技術】
【０００２】
溶解性が従来のインクより低いインク(以下、堆積し易いインクと呼ぶ)を使用したインクジェット記録装置において、縁無し記録や予備吐出などでインク受け部に吐出を続けた場合、インクがインク受け部や流路などに堆積することがある。その結果、インクの堆積物が流路を塞いだり、インク受け部上で堆積物を形成することがある。この場合、堆積物が周辺部に溢れてインク受け部周りが汚れたり、その堆積物が記録媒体を汚したり、記録ヘッドの吐出口形成面と接触したりするなどの問題が生じる。したがって、堆積し易いインクを用いる記録装置においては、インクの堆積を防止する制御が重要な技術となる。
【０００３】
そこで、特許文献１に開示されているインクジェット記録装置では、プラテン吸収体上に堆積し易い各インクに対して、堆積を抑制するのに必要な堆積抑制インクの量を、堆積し易いインクの量に応じて定める。また、プラテン吸収体のエリアを分割してドットカウントを行うことにより、エリア毎に堆積抑制インク量を規定でき、より精度よく堆積抑制インク量を規定できる、という方法が記載されている。
【先行技術文献】
【特許文献】
【０００４】
【特許文献１】特開２００８−６２６０９号公報
【発明の概要】
【発明が解決しようとする課題】
【０００５】
先行技術では、堆積し易いインクのドットカウントに基づいて堆積抑制インク量を規定している。また、プラテン吸収体のエリアを分割してドットカウントを行うことでより精度よく堆積抑制インク量を規定できるとしており、堆積抑制インク量は堆積し易いインクの量のみを考慮して規定している。
【０００６】
しかしながら、堆積を抑制するための堆積抑制インクの量は、堆積し易いインクの量だけでなく、堆積し易いインクの成分比率の変化やプラテン吸収体の状態、インク残量等を考慮して規定すべきである。そのため、特許文献１に記載の技術では、インクの堆積を抑制するための適切な堆積抑制インクの量が規定できていない、または実行できていない場合があるという課題があった。
【０００７】
よって本発明は、プラテン吸収体へのインクの堆積を抑制するインクの使用量を低減し、インクの堆積を好適に抑制することが可能なインクジェット記録装置を提供することを目的とする。
【課題を解決するための手段】
【０００８】
そのため本発明のインクジェット記録装置は、インクが堆積しやすい第１インク群とインクの堆積を抑制する第２インク群とを吐出可能な記録ヘッドと、記録媒体に対して縁なし記録を行う際に前記記録ヘッドから吐出され前記記録媒体からはみ出したインクを吸収する吸収体を備えるインクジェット記録装置において、前記記録媒体の先端部に縁なし記録を行うときに吐出される前記第１インク群の量と前記第２インク群の量とに基づいて、前記吸収体に堆積する第１のインク量を算出する第１の算出手段と、前記記録媒体の後端部に縁なし記録を行うときに吐出される前記第１インク群の量と前記第２インク群の量とに基づいて、前記吸収体に堆積する第２のインク量を算出する第２の算出手段と、前記第１のインク量に第１の係数を乗じたものと前記第２のインク量に第２の係数を乗じたものとに基づいて、前記吸収体に付与する付与インク量を決定する決定手段を備えることを特徴とする。
【発明の効果】
【０００９】
本発明によれば、プラテン吸収体へのインクの堆積を抑制するインクの使用量を低減し、インクの堆積を好適に抑制することが可能なインクジェット記録装置を実現することができる。
【図面の簡単な説明】
【００１０】
【図１】本実施形態におけるインクジェット記録装置の構成の概略図である。
【図２】本実施形態を適用可能な記録装置におけるインク吐出領域を示した図である。
【図３】記録装置におけるプラテンとプラテン吸収体とを示した図である。
【図４】滴下後に堆積物ができているかの実験結果を表で示した図である。
【図５】インクの堆積抑制効果を調べた実験結果を表で示した図である。
【図６】インクの堆積を防止するライトシアンの量を確認した結果である。
【図７】異なる温度・湿度における各係数値を表に示した図である。
【図８】（ａ）はＡ、Ｃ、Ｄ領域での係数ｄを、（ｂ）はＢ領域での係数ｄを示した図である。
【図９】本実施形態における記録動作のシーケンスを示したフローチャートである。
【図１０】記録動作のシーケンスをフローチャートで示した図である。
【発明を実施するための形態】
【００１１】
（第１の実施形態）
以下、図面を参照して本発明の第１の実施形態について説明する。
【００１２】
（記録装置構成）
図１は、本実施形態におけるインクジェット記録装置（以下、単に記録装置ともいう）の構成の概略図である。インクタンク１は、記録用シート１１の両側に配置している(不図示)。インクタンク１は記録装置本体側のインクタンクホルダー２に装着されており、キャリッジ８に搭載されるサブタンク７にインク供給チューブ６を経由してインクを供給する。記録装置は、記録中に記録媒体を支持するプラテンの上をサブタンク７に接続された記録ヘッドが移動し、記録ヘッドのノズルからインクを吐出することで記録を行う。ノズルの吐出状態を好適な状態に維持するための吸引動作などのノズル回復動作の際には、記録ヘッドは回復ユニット１０の位置に移動する。回復ユニット１０には減圧ポンプが内蔵されている。
【００１３】
（縁無し記録・ドットカウント）
図２は、本実施形態を適用可能な記録装置におけるインク吐出領域を示した図である。記録媒体の縁まで記録する所謂縁無し記録では、記録後の記録媒体に余白を残さないために、本実施形態では図２のように記録媒体の端部に沿って、Ａ領域(記録媒体の右端部)、Ｂ領域(先端部)、Ｃ領域(左端部)、Ｄ領域(後端部)の４つの領域を設けている。このような左右端部および先後端部の各領域では、Ａ領域：２．８ｍｍ、Ｂ領域：２ｍｍ、Ｃ領域：２．８ｍｍ、Ｄ領域：５ｍｍのはみ出し領域を設けてインクを吐出する。このはみ出し量は、記録媒体の搬送誤差や斜行や給紙による最大誤差量を見込んだうえで記録媒体に余白を残さないよう記録できるような量に設定されている。記録媒体からはみ出したインクは、プラテン吸収体上に吐出される。
【００１４】
本実施形態では、Ａ領域、Ｂ領域、Ｃ領域、Ｄ領域の各領域毎に吐出した各インクの吐出量をそれぞれカウントして記憶する。まず、各領域毎に吐出した各インクのドット数をカウントする。次に、インク毎に予め定められた１ドットあたりの吐出量をもとに、ドット数と１ドットあたりの吐出量を乗ずることで、プラテン吸収体上に吐出された各インクのインク量を算出することができる。
【００１５】
図３は、本実施形態を適用可能な記録装置における、プラテン１２とプラテン吸収体１３とを示した図である。図２に示した先端部のＢ領域と後端部のＤ領域における吐出では、実際にはプラテン吸収体１３上で一部重なる位置に吐出されるが、吐出された各インクのインク量の算出は前述のようにＡ、Ｂ、Ｃ、Ｄの各領域毎に行う。この理由は、プラテン吸収体１３上の位置が同じであっても、Ｂ領域とＤ領域とでは各インクのインク量が異なること、さらにはインク吐出後の経過時間が異なるのでインクの粘度が異なり、堆積を抑制するための必要インク量が異なってくるためである。
【００１６】
（インク構成・インク堆積）
本実施形態の記録装置は、１２色の顔料インクによって画像を形成するものである。そのインク構成はグレー、フォトブラック、ライトグレー、ダークグレー、ライトシアン、マゼンタ、イエロー、ライトマゼンタ、マットブラック、シアン、レッド、クリア(画質向上透明液)である。ここでインクの堆積とは、プラテン吸収体上にインクが吐出された時にプラテン吸収体に浸透せずにプラテン吸収体１３の表面にインクが残留してしまう現象のことである。このような現象は、用いるインクが溶解性の低い色材を含むインクであったり、蒸発時の粘度上昇が大きくて流動性が低減するインクなどの場合に発生しやすい。このように堆積する性質を持つインクを以下、堆積し易いインクと呼ぶ。前述のインク１２色のうち、堆積し易いインクは、フォトブラック、マゼンタ、イエロー、マットブラック、シアン、レッドの６色であり、これらを堆積し易いインク群として第１のインク群とする。但し、マットブラックは縁無し記録には使用せず、アート紙などの特殊な記録媒体専用のインクであるため、プラテン吸収体１３上に吐出する機会はない。そのため、本実施形態ではマットブラックの堆積は考慮しないこととし、以下マットブラックを除いた１１色について説明する。一方、堆積し易いインク以外の６色、グレー、ライトグレー、ダークグレー、ライトシアン、ライトマゼンタ、クリアは、プラテン吸収体上に堆積する現象は発生しにくい。そしてさらには、これらのインクを堆積し易いインクに混ぜる、あるいは堆積し易いインク上にかけると堆積を防止する効果がある。これら６色のインクを、堆積を抑制する第２のインク群とする。このような、堆積し易いインク、堆積を抑制するインクは、例えば以下のような実験で分類することができる。
【００１７】
（実験１：堆積し易いインクか否かの判定）
プラテン吸収体上にインクを滴下する手段を設置し、高温低湿環境下で対象インクを間欠的に滴下する。ある規定滴下回数において、プラテン吸収体１３上に堆積物ができているか否かで、対象インクが堆積し易いインクか否かを判定することができる。また、対象インクの堆積物が発生した滴下回数を測定することで、各対象インクの堆積し易さを評価することができる。本実施形態では、温度３０度湿度１０％の環境下において、３００秒間隔で縦６００ｄｐｉ横６００ｄｐｉに３２ｎｇの密度でインクをプラテン吸収体１３上に滴下させるように記録装置を動作させて実験を行った。
【００１８】
図４は、滴下後に堆積物ができているかの実験結果を表で示した図である。この結果ではフォトブラック＞シアン≒マゼンタ＞レッド≒イエローの順で堆積し易いインクであることがわかる。そしてこの順序は、インク中の固形成分の量の多さに一致していることがわかった。
【００１９】
（実験２：堆積を抑制するインクか否かの判定）
前述の実験１で堆積しなかったインクを対象インクとする。高温低湿環境下で堆積し易いインクを間欠的に滴下し、同時に堆積し易いインクを滴下する、あるいは、堆積し易いインクを滴下してから一定時間後に対象インクを滴下する。ある規定滴下回数において、プラテン吸収体上に堆積物ができているか否かで、対象インクが堆積を抑制可能なインクか否かを判定することができる。また、堆積し易いインクの堆積を防止することができる堆積を抑制するインクの比率、あるいは堆積し易いインクの堆積を防止することができる一定時間後の堆積を抑制するインクの比率を測定することができる。
【００２０】
本実施形態では、温度３０度湿度１０％の環境下において、３００秒間隔で縦６００ｄｐｉ横６００ｄｐｉに３２ｎｇの密度で堆積し易いインクをプラテン吸収体１３上に滴下させる。またそれと同時に対象インクも同位置に滴下させる実験を複数条件で、各インクの組み合わせで行った。
【００２１】
図５は、インクの堆積抑制効果を調べた実験結果を表で示した図である。その結果、堆積抑制効果の高い順に、ライトシアン≒グレー＞ライトグレー≒ライトマゼンタ≒ダークグレー≒クリアであった。この順序は、本実施形態ではインク中の固形成分の量の少なさに一致していることがわかった。
【００２２】
また図６は、インクの堆積を防止することができるライトシアンの量を確認した結果を表に示した図である。温度３０度湿度１０％の環境下において、縦６００ｄｐｉ横６００ｄｐｉに３２ｎｇの密度で堆積し易いインクをプラテン吸収体１３上に滴下させ、所定時間後にライトシアンインクを同位置に滴下させる実験を行った。その結果、滴下後の時間が経過するほど、堆積し易いインクの蒸発が進行することにより堆積し易くなるため、必要となるライトシアン量は増加していくことがわかった。
【００２３】
（堆積抑制量の算出）
第１のインク群のフォトブラック、マゼンタ、イエロー、シアン、レッドのインク量をＰＢｋ、Ｍａ、Ｙｅ、Ｃｙ、Ｒｅと表す。そして、第２のインク群のグレー、ライトグレー、ダークグレー、ライトシアン、ライトマゼンタ、クリアのインク量をＧｙ、ＬＧｙ、ＤＧｙ、Ｌｃ、Ｌｍ、Ｃｌ、と表す。温度３０度湿度１０％の環境下において、プラテン吸収体上のある領域に吐出したインクが堆積するかどうかは図４、図５の結果より、例えば以下のような計算式で判別することができる。
｛（ＰＢｋ×０．５＋Ｃｙ×０．４＋Ｍａ×０．４＋Ｒｅ×０．３＋Ｙｅ×０．３）−（Ｌｃ＋Ｇｙ＋ＬＧｙ×０．５＋ＤＧｙ×０．５＋Ｌｍ×０．５＋Ｃｌ×０．５）｝・・・（１）
各インクに乗じている係数は図４、図５の結果より、ライトシアンＬｃおよびグレーＧｙを基準として各色のインクに重み付けしたものである。式（１）が正の場合、堆積し易いインクに対して堆積を抑制するインク量が不足していることを示しており、このまま放置するとインクが堆積する可能性が高い。また式（１）が負の場合、堆積し易いインクに対して堆積を抑制するインク量は足りていることを示しており、このまま放置してもインクが堆積する可能性は低い。
【００２４】
図７は、異なる温度・湿度における各係数値を表に示した図である。式（１）における重み付けの係数は、温度・湿度によって変化するため、式（１）は以下の式（２）のように記述することができ、その時の各係数ａ、ｂ、ｃを図７に示した。また、第２のインク群の係数は、ライトシアンＬｃ、グレーＧｙを基準とした堆積抑制の効果の度合いを示しているので、温度・湿度によって変わらないと考えてよい。
｛（ＰＢｋ×ａ＋Ｃｙ×ｂ＋Ｍａ×ｂ＋Ｒｅ×ｃ＋Ｙｅ×ｃ）−（Ｌｃ＋Ｇｙ＋ＬＧｙ×０．５＋ＤＧｙ×０．５＋Ｌｍ×０．５＋Ｃｌ×０．５）｝・・・（２）
以上より、プラテン吸収体１３上のインクの堆積を防止するためには、図２に示したプラテン吸収体１３のＡ領域からＤ領域のそれぞれについて式（２）を適用して計算する。そして、その値が正であれば堆積を抑制するための第２のインク群の吐出を追加で実行し、値が負であれば何も行わないという制御を行う。
【００２５】
式（２）から、プラテン吸収体１３の各領域に、インクの堆積を抑制するためのインク吐出（以下、堆積抑制吐出ともいう）が必要か否かを判別可能である。しかし、堆積抑制吐出の必要量は、縁無し記録によりプラテン吸収体１３上にインクを吐出してから堆積抑制吐出を行うまでの時間を考慮する必要がある。なぜなら、堆積抑制吐出は縁無し記録を終了して記録媒体を排紙した後に行うことになるため、その間にプラテン吸収体１３上のインクの蒸発が進行して、より堆積し易い状態となるためである。例えば、図２のＡ、Ｃ、Ｄ領域は、堆積抑制吐出を行う直前まで領域内にインクが吐出されているが、Ｂ領域は領域内にインクが吐出されてから堆積抑制吐出を行うまで記録動作時間以上の時間が経過してしまう。そこで、堆積抑制吐出の必要量は式（２）に温度・湿度と記録動作時間によるインク蒸発を加味した係数ｄを乗じて以下の堆積抑制吐出式（３）のように算出する。
｛（ＰＢｋ×ａ＋Ｃｙ×ｂ＋Ｍａ×ｂ＋Ｒｅ×ｃ＋Ｙｅ×ｃ）−（Ｌｃ＋Ｇｙ＋ＬＧｙ×０．５＋ＤＧｙ×０．５＋Ｌｍ×０．５＋Ｃｌ×０．５）｝×ｄ・・・（３）
前述のように、図２のＡ、Ｃ、Ｄ領域は堆積抑制吐出を行う直前まで領域内にインクが吐出されているが、Ｂ領域は領域内にインクが吐出されてから記録動作時間以上経過している。したがって本実施形態では、Ａ、Ｃ、Ｄ領域で、係数ｄは図８（ａ）に示す共通の値を用い、Ｂ領域では係数ｄは図８（ｂ）に示した値を用いる。また、記録モードが複数あるなど記録動作時間が複数ある場合には、記録動作時間の長さに応じてそれぞれ係数ｄを用意すればよい。
【００２６】
（堆積抑制吐出シーケンス）
図９は、本実施形態における記録動作のシーケンスを示したフローチャートである。堆積抑制の吐出を行うシーケンスを以下に説明する。まず、ステップＳ１で記録動作を開始すると、ステップＳ２に移行して、記録しようとしている画像が縁無し記録かどうかの判断を行う。この判断によって縁無し記録でない場合はステップＳ２−１で記録動作を行い、その後ステップＳ２−２で記録動作が終了する。ステップＳ２で縁無し記録である場合には、ステップＳ３に移行して記録環境下の温度・湿度情報を取得する。本実施形態では記録装置内に設置された温湿度センサにより記録装置内の温度、湿度情報を取得している。その後ステップＳ４において記録モード情報を取得し、ステップＳ５において、縁無し記録動作を行い、一方で画像のはみ出し領域に吐出された各インク量を、図２に示した各領域に分割して領域毎にそれぞれカウントする。
【００２７】
記録動作終了後にステップＳ６で、ステップＳ３、Ｓ４、Ｓ５で取得した温度・湿度情報、記録モード情報、各領域毎の各インクのインク量より各領域毎に堆積抑制吐出式（３）を計算する。そしてステップＳ７において、ステップＳ６で計算した結果から堆積抑制吐出が必要か否かを判断して、必要な場合にはその必要量を算出（推定）する。前述のように、ステップＳ６の計算結果（推定結果）が正の場合には必要、負の場合には不要である。その後ステップＳ８において、ステップＳ７で算出した量の堆積抑制インクを吐出し、シーケンスは終了する。本実施形態では、ステップＳ８で吐出するインクはライトシアンとグレーの２色であり、ステップＳ７で算出した量を２等分してそれぞれ吐出する。これは、図５に示したようにライトシアンとグレーの堆積抑制効果は同等であるためで、インク消費の偏りを避けるために２色で実施している。
【００２８】
本実施形態ではライトシアンとグレーの２色で必要量を２等分して堆積抑制吐出を行うが、何色で行ってもよく、使用するインクの堆積抑制効果に応じて重み付けしてそれぞれの堆積抑制吐出量を決めればよい。また、本実施形態では記録モード情報を用いて係数ｄを設定したが、例えばプラテン吸収体１３上に吐出してからの経過時間計測手段を用いて係数ｄを設定してもよい。また、本実施形態では、式（３）のように各インク毎に堆積しやすさ、堆積抑制効果を考慮して重み付けを行ったが、簡略化して一律の係数を設定してもよい。なお、堆積抑制吐出に関しては、記録環境下における温度情報、湿度情報、記録モード情報、吐出後経過時間、縁無し記録の累積記録枚数、堆積抑制吐出の未実行インク量などから、プラテン吸収体１３上の堆積を推定して行ってもよい。また、本実施形態でいうインク成分とは、インクの粘度、表面張力、不溶成分比率、顔料濃度であるとする。
【００２９】
このように、インク成分に基づいて、吐出した堆積し易いインクと堆積を抑制するインクとの量を比較して、堆積を抑制するインクの量が少ない場合に、必要量の堆積抑制インクを吐出する。これによって、プラテン吸収体１３へのインクの堆積を抑制するインクの使用量を低減し、インクの堆積を好適に抑制することが可能なインクジェット記録装置を実現することができた。
【００３０】
（第２の実施形態）
以下、図面を参照して本発明の第２の実施形態を説明する。なお、本実施形態の基本的な構成は第１の実施形態と同様であるため、以下では特徴的な構成についてのみ説明する。
【００３１】
図１０は、本実施形態における記録動作のシーケンスをフローチャートで示した図である。第１の実施形態では足りない分の堆積抑制インクをライトシアンとグレーで等分して、堆積抑制吐出を行った。本実施形態では、堆積抑制インク（第２のインク群）の中で優先順位を予め定めておき、その優先順位に従って堆積抑制吐出を行う。なお本実施形態では、第２のインク群の中のライトシアンとグレーを用いて堆積抑制吐出を行う。
【００３２】
以下、図１０のフローチャートに沿って本実施形態の記録動作を説明する。なお、ステップＳ１からステップＳ５までは、図９で説明したフローチャートと同様であるため、省略して説明する。
【００３３】
ステップＳ５で、縁無し記録動作を行い、画像のはみ出し領域に吐出された各インク量を、各領域に分割して領域毎にそれぞれカウントした後、そのカウント結果から、ステップＳ６０で、堆積抑制未実行ドットカウント値を各領域毎の吐出量に加算する。その後ステップＳ７０で、ステップＳ３、Ｓ４、Ｓ５で取得した温度・湿度情報、記録モード情報、各領域毎の各インクのインク量より各領域毎に堆積抑制吐出式（３）を計算する。そしてステップＳ８０に移行して、堆積抑制吐出が必要かどうか判断する。この判断は第１の実施形態におけるステップＳ７と同様である。不要である場合にはそのまま記録動作終了となる。堆積抑制吐出が必要である場合には、ステップＳ９０へと移行して、第一優先の堆積抑制インクの残量が所定値よりも多い（所定量以上）かを判断する。第一優先の堆積抑制インクの残量が所定値よりも多い場合には第一優先（優先順位が上位）の堆積抑制インクを優先的に選択する。そして、ステップＳ１００で、堆積抑制インクの足りない分を算出し、ステップＳ１１０でステップＳ１００にて算出した量の第一優先の堆積抑制インクを吐出する。その後ステップＳ１２０でドットカウントをリセットして記録動作を終了する。
【００３４】
ステップＳ９０で、第一優先の堆積抑制インクの残量が所定値よりも少ない（所定量未満の）場合は、ステップＳ１３０へと移行する。そして、ステップＳ１３０で第二優先（優先順位が下位）の堆積抑制インクの残量が所定値よりも多いか判断する。第二優先の堆積抑制インクの残量が所定値よりも多い場合には、ステップＳ１４０で、堆積抑制インクの足りない分を算出し、ステップＳ１５０でステップＳ１４０にて算出した量の第二優先の堆積抑制インクを吐出する。その後ステップＳ１６０でドットカウントをリセットして記録動作を終了する。
【００３５】
ステップＳ１３０で、第二優先の堆積抑制インクの残量が所定値よりも少ない場合（インク使用量が所定量以上）には、ステップＳ１７０でドットカウントをリセットして記録動作を終了する。
【００３６】
なお、言うまでもなく堆積抑制インクとして用いるのは何色で行ってもよく、使用するインクの堆積抑制効果に応じて重み付けしてそれぞれの堆積抑制吐出量を決めればよい。また、本実施形態では第一優先と第二優先との２種類の堆積抑制インクとしたが、これに限定するものではなく、複数種類であればよい。また、優先順位は、堆積抑制効果の高い順に定めるのが良いが、インク毎にインクカートリッジの大きさが異なるなど、堆積抑制吐出を行うことでインク消費への影響が大きいインクがある場合には、必ずしも堆積抑制効果の高い順でなくてもよい。つまり、インク使用頻度などの消費の偏りを考慮した優先順位や、それらの両方を合わせて優先順位を決定してもよい。
【００３７】
このように、インク成分に基づいて、吐出した堆積し易いインクと堆積を抑制するインクとの量を比較して、堆積を抑制するインクの量が少ない場合に、必要量の堆積抑制インクを吐出する。これによって、プラテン吸収体１３へのインクの堆積を抑制するインクの使用量を低減し、インクの堆積を好適に抑制することが可能なインクジェット記録装置を実現することができた。
【符号の説明】
【００３８】
１  インクタンク
７  サブタンク
１２  プラテン
１３  プラテン吸収体
【図１】
0005737886.tif 000002
【図２】
0005737886.tif 000003
【図３】
0005737886.tif 000004
【図４】
0005737886.tif 000005
【図５】
0005737886.tif 000006
【図６】
0005737886.tif 000007
【図７】
0005737886.tif 000008
【図８】
0005737886.tif 000009
【図９】
0005737886.tif 000010
【図１０】
0005737886.tif 000011